(57)【要約】【課題】本発明は、碍子洗浄装置について、簡易な構造で洗浄時とテスト時との切り替えを行うことを可能にすると共に、ノズル部から噴射される洗浄水の状態を碍子の洗浄前に実際にノズル部から送出された洗浄水にて確認、検査することを可能にする。【解決手段】碍子洗浄装置１の洗浄水が噴射されるノズル部４は、洗浄水が送られる配管７のうち碍子３に近接したノズル設置管２１の軸方向に沿って延びる面に設けられていると共に、このノズル部４が設けられたノズル設置管２１は、配管７ｄのうちノズル設置管２１以外の部位に対し配管７ｄの周方向に沿ってノズル部４と一体に揺動する構成とする。【選択図】図４
2011233393.tif 000002
【特許請求の範囲】
【請求項１】
屋外に配置された１又は２以上の碍子に向けて洗浄液を放出することにより前記碍子を洗浄する碍子洗浄装置であって、
洗浄液を貯蔵することが可能なタンクと、前記碍子に洗浄液を噴射するノズル部と、前記タンク内の洗浄液を汲み上げて前記ノズル部側に送出するためのポンプと、前記タンク、ポンプ及びノズル部間を適宜接続する配管とを有して構成され、
前記ノズル部は、前記配管のうち前記碍子に近接した部分の軸方向に沿って延びる面に設けられていると共に、前記ノズル部が設けられた配管は、前記配管の一部をなすノズル設置管を配管途中に接合して構成され、前記ノズル設置管は、前記配管のうち前記ノズル設置管以外の部位に対し前記配管の周方向に沿って前記ノズル部と一体に回転可能であることを特徴とする碍子洗浄装置。
【請求項２】
前記ノズル設置管の端部は、これに接合する配管の端部と締緩自在の接合手段を介して接合されており、
前記接合手段を緩めることにより前記ノズル設置管及びこれに設けられたノズル部が前記配管の周方向に沿って回動することが可能になり、前記接合手段を締め付けることにより前記ノズル設置管及びこれに設けられたノズル部の回動が規制されることを特徴とする請求項１に記載の碍子洗浄装置。
【請求項３】
前記ノズル部は、先端が複数に分岐した分岐管部を有しており、前記分岐管部の各先端にノズルが装着されていることを特徴とする請求項１又は請求項２に記載の碍子洗浄装置。
【請求項４】
前記接合手段の締緩は、ユニオンナットを回動させる操作により行われることを特徴とする請求項１から請求項３のいずれかに記載の碍子洗浄装置。
【発明の詳細な説明】
【技術分野】
【０００１】
この発明は、発電所、変電所等の電力施設において屋外で使用される碍子を例えば活線状態で洗浄することにより碍子の塩害汚損やコロナ騒音を防止する碍子洗浄装置に関する。
【背景技術】
【０００２】
海岸に近い発電所、変電所等の電力施設では、強風により巻き上げられた海水が屋外に配置された遮断器の碍子に付着して絶縁不良を生ずる等の塩害事故が起こる場合があることが、例えば特許文献１の段落番号「０００２」等に示されるように知られている。
【０００３】
また、碍子は、大気中の海塩粒子や塵埃等の汚染物質が表面に付着しやすく、しかも、この汚染物質で汚損した状態で碍子の表面に水滴等が付着することにより碍子にコロナ放電が生じ、このコロナ放電に起因してコロナ騒音が生ずる場合があることも、例えば特許文献２の段落番号「０００２」等に示されるように知られている。
【０００４】
このため、特許文献３に示されるように、水等の洗浄液をノズル部から碍子に噴射することにより、碍子の表面を洗浄して海水や汚染物質を碍子から除去する常設型の碍子洗浄装置が既に公知となっている。
【０００５】
一方で、碍子に放出する洗浄液の固有抵抗値や液圧について碍子の洗浄による事故防止のために一定の基準を設けている。ところが、常設型の碍子洗浄装置では、長年の運用により配管内に錆びが発生したり異物が付着したりすることがあり、このような配管に洗浄液を通過させた場合には、洗浄液の固有抵抗値は当初では基準通りでも当該配管を通過する際に基準よりも低下することが考えられる。そして、この固有抵抗値が基準よりも低下した状態の洗浄液を用いて碍子の洗浄を行うと、碍子の絶縁性の低下等の不具合を招くという不都合が生ずる。しかしながら、碍子洗浄装置のノズル部から噴射される段階で洗浄液の固有抵抗値が基準よりも低下しているか否かは、実際に放出して目視等で確認、検査しなければ判断することが容易でない。
【０００６】
このため、上記した特許文献３では、貯液槽からノズル部まで延びる配管のうち変電設備に沿って配置された立ち上がり管、すなわちノズル部に近接した配管の途中箇所において、三方弁を介して枝管を接続させると共に、この枝管が下方に延びてその先端に排出口を有する構成としている。これにより、ノズル部から噴射される洗浄液の状態をテストする時には、切替ハンドルを操作して、洗浄液が立ち上がり管をそのままノズル部側に上昇する方向から枝管に流れる方向に三方弁を切り替え、この枝管の排出口から排出された洗浄液を目視等で確認、検査することが可能になっている。
【先行技術文献】
【特許文献】
【０００７】
【特許文献１】特開平５−３２５６８９号公報
【特許文献２】特開２００６−２３０８６号公報
【特許文献３】特開２００１−６７９６１号公報
【発明の概要】
【発明が解決しようとする課題】
【０００８】
しかしながら、前記の特許文献３に示される碍子洗浄用放水テスト装置の構造では、三方弁や切換ハンドルを用いる等、洗浄時とテスト時とを切り替えるための構造が複雑化しているので、碍子洗浄装置に付設した場合には、碍子洗浄装置全体としての製造コストが相対的に高くなるという不具合を有すると共に碍子洗浄装置への三方弁等の取り付け作業も煩雑化する。
【０００９】
また、ノズル部から噴射される洗浄液を洗浄前に検査するにあたり、途中で分岐した枝管から排出される洗浄液の状態を確認、検査するよりも、実際にノズル部から送出される洗浄液の状態を確認、検査する方がより碍子洗浄装置の実動作に近いものとなる。
【００１０】
そこで、本発明は、簡易な構造で洗浄時とテスト時との切り替えを行うことを可能にすると共に、ノズル部から放出される洗浄体の状態を碍子の洗浄前に実際にノズル部から送出された洗浄液にて確認、検査することを可能にする碍子洗浄装置を提供することを目的とする。
【課題を解決するための手段】
【００１１】
この発明に係る碍子洗浄装置は、屋外に配置された１又は２以上の碍子に向けて洗浄液を放出することにより前記碍子を洗浄する碍子洗浄装置であって、洗浄液を貯蔵することが可能なタンクと、前記碍子に洗浄液を噴射するノズル部と、前記タンク内の洗浄液を汲み上げて前記ノズル部側に送出するためのポンプと、前記タンク、ポンプ及びノズル部間を適宜接続する配管とを有して構成され、前記ノズル部は、前記配管のうち前記碍子に近接した部分の軸方向に沿って延びる面に設けられていると共に、前記ノズル部が設けられた配管は、前記配管の一部をなすノズル設置管を配管途中に接合して構成され、前記ノズル設置管は、前記配管のうち前記ノズル設置管以外の部位に対し前記配管の周方向に沿って前記ノズル部と一体に回転可能であることを特徴としている（請求項１）。ここで、屋外に配置された碍子とは、例えば発変電所等の電力施設の屋外に配置された碍子等が挙げられる。ノズル設置管の回動には、ノズル設置管が配管の他の部位に対して３６０°回転する場合や円弧を描くように揺動する場合も含まれる。また、洗浄液は、例えば洗浄水等である。更に、碍子の洗浄は、例えば活線状態で行うことが可能である。
【００１２】
そして、この発明に係る碍子洗浄装置では、前記ノズル設置管の端部は、これに接合する配管の端部と締緩自在の接合手段を介して接合されており、前記接合手段を緩めることにより前記ノズル設置管及びこれに設けられたノズル部が前記配管の周方向に沿って回動することが可能になり、前記接合手段を締め付けることにより前記ノズル設置管及びこれに設けられたノズル部の回動が規制されることを特徴としている（請求項２）。
【００１３】
これにより、ノズル部から碍子に対して洗浄液を噴射する放出時には、ノズル設置管に設けられたノズル部の角度を確認して、ノズル部の角度が碍子に洗浄液を噴射するのに不適切と判断した場合には、接合手段を緩めてノズル設置管を回動させ、ノズル部を碍子に洗浄液を噴射するのに適切な角度に調整した後、接合手段を締め付けてこのノズル部の角度を保持するという操作が行われる。
また、ノズル部から送出される洗浄液の状態を確認、検査するテスト時には、ノズル設置管に設けられたノズル部の角度を確認して、ノズル部の角度が水平方向よりも上側に向いていると判断した場合には、接合手段を緩めてノズル設置管を回動させ、ノズル部を水平方向よりも下方、可能であれば真下に向くような適切な角度に調整した後、接合手段を締め付けてこのノズル部の角度を保持するという操作が行われる。
【００１４】
ここで、前記ノズル部は、先端が複数に分岐した分岐管部を有しており、前記分岐管部の各先端にノズルが装着されていても良い（請求項３）。また、前記接合手段の締緩は、ユニオンナットを回動させる操作により行われる（請求項４）。
【発明の効果】
【００１５】
以上のように、この発明によれば、配管の碍子に近接した部分についてノズル部が設けられたノズル設置管を配管途中に接合して構成されたものとし、且つこのノズル設置管と配管のノズル設置管以外の部位との接合を接合手段で行う構成としたので、ノズル部から噴射される洗浄液の状態をテストするための構造が簡易な構造となると共に既存の碍子洗浄装置に対して容易に組み付けることができるので、コストの上昇を抑制することが可能となる。
【００１６】
しかも、この発明によれば、ノズル部の角度を水平方向よりも下方に向けて、このノズル部から送出される洗浄液の状態を確認、検査するので、碍子洗浄装置の実動作に近いかたちで、洗浄液の状態を碍子の洗浄前にテストすることが可能となる。
【図面の簡単な説明】
【００１７】
【図１】図１は、碍子洗浄装置の全体構成の概略図である。
【図２】図２は、この発明に係る碍子洗浄装置のノズル部が配管の碍子近傍の部分に設けられた構成の一例を示す説明図である。
【図３】図３（ａ）は、ノズル部のノズルの構成を示す一部破断面図であり、図３（ｂ）は当該ノズルの平面図である。
【図４】図４は、この発明に係る碍子洗浄装置のノズル部が回動可能であることを示す説明図である。
【図５】図５（ａ）は、ノズル部のノズルの他の構成を示す一部破断面図であり、図５（ｂ）は当該ノズルの平面図である。
【発明を実施するための形態】
【００１８】
以下、この発明の実施形態の一例を図面に基づいて説明する。
【００１９】
図１において、水洗により碍子を洗浄する型の碍子洗浄装置１の全体構成の一例が示されており、この碍子洗浄装置１は、洗浄水が満たされた貯水槽たるタンク２と、各碍子３に洗浄水を放出乃至噴射するための複数のノズル部４と、タンク２内の洗浄水を汲み上げてノズル部４に供給するポンプ５を有するポンプ装置６と、タンク２とポンプ５及びポンプ５と各ノズル部４とを適宜接続する配管７とを少なくとも有して構成されている。
【００２０】
タンク２は、所定の水源８から取水された洗浄水を一時的に貯めるためのもので、水源８とタンク２との間には当該水源８からタンク２に洗浄水を送るための取水管９が配設されていると共に、この取水管９のタンク２側には開閉弁１０が設けられて、水源８からタンク２に送られる洗浄水の量を調整可能としている。
【００２１】
そして、タンク２の貯水内には、配管７のうち一方の端部がポンプ５と接続される配管７ａのもう一方の端部が水深の深いところまで潜るかたちで配置されており、この配管７ａのタンク２内に配置された端部はタンク２内のゴミ等を除去するためのフィルタ部１１を有している。
【００２２】
尚、図示しないが、タンク２の洗浄水の水位を監視するための装置がタンク２に設置されていても良い。
【００２３】
ポンプ装置６は、この実施例では、ポンプ室１３内に、ポンプ５、このポンプ５に動力を供給するモータ１４、仕切り弁１５、逆止弁１６、及び自動弁１７を収納して構成されている。そして、ポンプ５は、ポンプ室１３内まで引き込まれた配管７ａのフィルタ部１１とは反対側の端部と接続されていると共に、ポンプ５、仕切り弁１５、逆止弁１６、自動弁１７は配管７ｂにより順次接続されている。尚、ポンプ装置６は、図示しないがポンプ室１３内の洗浄水をポンプ室１３の外に排出するための排水路を有していても良い。
【００２４】
また、ポンプ装置６は、自動弁１７からポンプ室１３外に引き出される配管７ｃを有し、この配管７ｃは、ポンプ室１３外における経路の途中において仕切り弁１２を有している。尚、配管７ｃは、図示しないが、ポンプ室１３外における経路の仕切り弁１２よりも自動弁１７側となる部位において、洗浄水を圧力調整後にタンク２に還流させるために、圧力調整部を途中に有すると共に下流側端がタンク２にまで達している配管を分岐させても良い。
【００２５】
更に、配管７は、この実施例では、仕切り弁１２よりも洗浄水の下流側において、例えば４つの配管７ｄに分岐しており、これらの配管７ｄの洗浄水の上流側にはそれぞれ仕切り弁１８、自動弁１９が順次配置されている。そして、各配管７ｄの自動弁１９よりも洗浄水の下流側には碍子３に洗浄水を放出乃至噴射するためのノズル部４が配置されている。尚、この実施例では、１の碍子３に対し１のノズル部４が配置されているが、必ずしもこれに限定されず、例えば１つの碍子３に対し複数のノズル部４を配置しても、逆に複数の碍子３に対して１つのノズル部４を配置しても良い。
【００２６】
このような構成の碍子洗浄装置１によれば、仕切り弁１５、自動弁１７、仕切り弁１２、仕切り弁１８及び自動弁１９を全て開放して、モータ１４でポンプ５を稼動させることにより、水源８から取水されてタンク２に貯水された洗浄水は、配管７ａ、７ｂ、７ｃの順に送られた後、４つに分岐された配管７ｄをそれぞれ流れて、ノズル部４から碍子３に放出乃至噴射されて、碍子３を洗浄することが可能である。
【００２７】
ところで、ノズル部４は、図２及び図４に示されるように、配管７ｄの一部を構成するノズル設置管２１の当該配管７ｄの軸方向に沿って延びる円周状の面に設けられているもので、この実施例では、図３及び図４に示されるように、ノズル設置管２１の径方向に沿って延びた後、ノズル設置管２１の軸方向に沿って分岐し、更にノズル設置管２１の径方向に延びた分岐管部２２と、分岐管部２２の２つの延出部位の先端にそれぞれ装着されたノズル２３とで構成されている。
【００２８】
ノズル２３自体は公知のものであるが、この構成例について図３を用いて説明すると、一方側に分岐管部２２が挿入可能な開口部２４を有すると共にこの開口部２４とは反対側にストレーナ２５を有するノズルベース２６と、このノズルベース２６にＯリング２７を介して気密性良く連結されていると共に、ノズルベース２６側とは反対側に洗浄水を噴霧する噴霧口２８が開口したノズル本体２９とを有して構成されている。そして、この実施例では、噴霧口２８の内径寸法よりも内径寸法の小さな噴霧口３０が当該噴霧口２８を囲むように複数開口している。
【００２９】
そして、このノズル部４が設けられたノズル設置管２１は、図４に示されるように、当該ノズル設置管２１の長手方向の両側に位置する配管７ｄと、接合手段を介して接合されることで、当該ノズル設置管２１のみが所定条件下で配管７ｄの周方向に沿って回動することが可能となっている。以下、この接合手段の一例について図４を用いて説明する。
【００３０】
このノズル設置管２１と配管７ｄとの接合手段は、挿入部３２と、フランジ３３と、接合部３４と、ユニオンナット３９とで基本的に構成されている。
【００３１】
挿入部３２は、ノズル設置管２１の軸方向の両側に設けられて、その外径寸法はノズル設置管２１の他の部分（非挿入部）の外径寸法よりも小さく且つ配管７ｄの接合部３４の内径寸法と略同じである。
【００３２】
フランジ３３は、挿入部３２とノズル設置管２１の非挿入部との境界に形成され、その外径寸法は接合部３４の外径寸法と略同じである。
【００３３】
接合部３４は、配管７ｄの外面のノズル設置管２１側端から所定範囲までにわたってネジ溝３５が形成され、長手方向の端面がフランジ３３の立面と接することが可能となっていると共に、その内面が挿入部３２の外面に対し回転自在に接することが可能となっている。
【００３４】
ユニオンナット３９は、ノズル設置管２１の非挿入部の外径寸法と略同じ内径寸法の小径孔３６及びノズル設置管２１のフランジ３３及び配管７ｄの接合部３４の外径寸法と略同じ内径寸法で且つ接合部のネジ溝３５と噛合可能なネジ溝３７が形成された大径孔３８とを有しているもので、これに伴い、小径孔３６と大径孔３８との境界には段差が形成されており、この段差面にフランジ３３の接合部３４とは反対側の立面が当接可能となっていると共に、締め付けにより接合部３４の端面とフランジ３３の立面とを配管７ｄの軸方向に沿って圧接することが可能となっている。
【００３５】
これにより、ユニオンナット３９を回転して図４の状態から図４の右方向に移動させて緩めることにより、接合部３４とフランジ３３とについて配管７ｄの軸方向に沿って圧接された状態が開放されて、ノズル設置管２１はこれと接合された配管７ｄに対して配管７ｄの周方向に沿って時計回りと反時計回りとのいずれの方向にも３６０°の範囲で回転させることが可能となる。これに対し、ユニオンナット３９を回転して図４の左方向に移動させて図４の締め付けられた状態に戻すことにより、接合部３４とフランジ３３とが再び配管７ｄの軸方向に沿って圧接された状態になる。
【００３６】
以上によれば、ユニオンナット３９を所定方向に回動して緩ませる操作と締め付ける操作との組み合わせのみで、ノズル部４が設けられたノズル設置管２１を配管７ｄの周方向に沿って回動させ、ノズル部４を水平方向よりも下側に向かせた後、そのノズル部４の状態を保持することができるので、碍子３に洗浄水を放出乃至噴射する前に、洗浄水の状態をノズル部４の各ノズル２３の噴霧口２８、３０から実際に送出される洗浄水で確認、検査することが可能である。
【００３７】
そして、再度、所定方向に回動して緩ませる操作と締め付ける操作との組み合わせを行うことで、ノズル部４が設けられたノズル設置管２１を配管７ｄの周方向に沿って先程とは逆方向に回動させ、ノズル部４の角度を碍子３に向いた状態にした後、そのノズル部４の角度を保持することができる。
【００３８】
すなわち、洗浄水の状態のテスト時と洗浄水の放出時（噴射時）との切替えは、基本的にユニオンナット３９を回動する操作のみで良いので、相対的に簡単な操作により行うことが可能である。しかも、これらの配管７ｄとノズル設置管２１との接合手段も相対的に簡易な構造であるので、碍子洗浄装置１全体としてのコストの増加も抑制することができる。
【００３９】
図５において、ノズル部４のノズル２３’構成の他の実施例が示されている。以下、このノズル２３’の構成について図５を用いて説明する。但し、先の実施例と同様の構成については、基本的には同一の符号を付してその説明を省略する。
【００４０】
ノズル２３’は、開口部２４及びストレーナ２５を備えたノズルベース２６と、このノズルベース２６にＯリング２７を介して気密性良く連結されたノズル本体２９とで構成されている点についてはノズル２３と共通しているが、ノズル本体２９は噴霧口２８を有さず、この噴霧口２８よりも内径寸法の小さな噴霧口３０が多数開口している点でノズル２３と相違している。
【００４１】
このようなノズル２３’を有するノズル部４が形成されたノズル設置管２１であっても、図４に示される接合手段を配管７ｄとの間で備えることにより、図３に示されるノズル２３を用いる場合と同様の効果を得ることができる。
【符号の説明】
【００４２】
１  碍子洗浄装置
２  タンク
３  碍子
４  ノズル部
５  ポンプ
６  ポンプ装置
７（７ａ乃至７ｄ）  配管
２１  ノズル設置管
２２  分岐管部
２３  ノズル
２３’  ノズル
３２  挿入部
３３  フランジ
３４  接合部
３５  ネジ溝
３６  小径孔部
３７  ネジ溝
３８  大径孔
３９  ユニオンナット
【図１】
2011233393.tif 000003
【図２】
2011233393.tif 000004
【図３】
2011233393.tif 000005
【図４】
2011233393.tif 000006
【図５】
2011233393.tif 000007